(57)【要約】【課題】溶剤（洗剤）の代わりに超電導イオン化触媒によってマイナスイオン化された洗浄水を使用した洗浄装置を提供する。【解決手段】ノズル２４と、前記ノズルに洗浄水を供給する洗浄ポンプ２３と、前記洗浄ポンプの吸入側に接続したマイナスイオン化洗浄水を貯留させる循環水貯留タンク２１と、前記循環水貯留タンクからの循環水を吸引しマイナスイオン化する改質装置２２と、前記改質装置を吸引側に接続するとともに、吐出側を前記循環水貯留タンクに接続する循環ポンプ２５とを備えており、洗浄後の水を改質装置を通して再度洗浄に使うために、前記循環水を前記改質装置でマイナスイオン化した後、循環ポンプを介して循環水貯留タンクに供給するとともに、前記循環水貯留タンクからマイナスイオン化した循環水を洗浄ポンプで吸引し、前記ノズルから洗浄物に噴射して被洗浄物を洗浄することを特徴とする洗浄装置。【選択図】        図２
2005000885.tif 000002
【特許請求の範囲】
【請求項１】
ノズルと、前記ノズルに洗浄水を供給できる洗浄ポンプと、前記ポンプの吸入側に接続した改質装置とを備え、フレッシュ水を前記改質装置でマイナスイオン化した後、洗浄ポンプを介してノズルより洗浄物に噴射し、被洗浄物を洗浄することを特徴とする洗浄装置。
【請求項２】
前記洗浄ポンプは高圧または超高圧洗浄水を供給できるポンプであることを特徴とする請求項１に記載の洗浄装置。
【請求項３】
前記洗浄後の排水をフィルターを介して排水することを特徴とする請求項１に記載の洗浄装置。
【請求項４】
ノズルと、前記ノズルに洗浄水を供給する洗浄ポンプと、前記洗浄ポンプの吸入側に接続したマイナスイオン化洗浄水を貯留させる循環水貯留タンクと、前記循環水貯留タンクからの循環水を吸引しマイナスイオン化する改質装置と、前記改質装置を吸引側に接続するとともに、吐出側を前記循環水貯留タンクに接続する循環ポンプとを備えており、洗浄後の水を改質装置を通して再度洗浄に使うために、前記循環水を前記改質装置でマイナスイオン化した後、循環ポンプを介して循環水貯留タンクに供給するとともに、前記循環水貯留タンクからマイナスイオン化した循環水を洗浄ポンプで吸引し、前記ノズルから洗浄物に噴射して被洗浄物を洗浄することを特徴とする洗浄装置。
【請求項５】
前記洗浄ポンプは高圧または超高圧洗浄水を供給できるポンプであることを特徴とする請求項４に記載の洗浄装置。
【請求項６】
前記循環水貯留タンクには循環水を濾過するフィルターと、スラッジ受けが配置されていることを特徴とする請求項４または請求項５に記載の洗浄装置。
【請求項７】
前記循環水にはフレッシュ水を供給できるようにしたことを特徴とする請求項４〜請求項６のいずれかに記載の洗浄装置。
【請求項８】
前記改質装置は、超電導イオン化触媒であることを特徴とする請求項１〜請求項７のいずれかに記載の洗浄装置。
【請求項９】
前記超電導イオン化触媒は、バイオセラミックスであることを特徴とする請求項８に記載の洗浄装置。
【請求項１０】
前記ノズルは洗浄室に配置されていることを特徴とする請求項１〜請求項９の何れかに記載の洗浄装置。
【発明の詳細な説明】
【０００１】
【発明の属する技術分野】
この発明は、洗浄装置に関するものであり、特に溶剤（洗剤）の代わりに超電導イオン化触媒によってマイナスイオン化された洗浄水を使用した洗浄装置に関するものである。
【０００２】
【従来の技術】
従来より切削油の付いた加工製品や錆た鉄部品等を化学洗剤を使用して洗浄処理していた。しかし近年化学洗剤を使用した排水による環境汚染が問題となり、特に洗浄後の排水処理が社会的に大きな問題となっている。
このような背景から、洗浄後の排水を簡単な処理の後、排水できる方法が研究されており、最近活性水に注目が集まっている（特許文献１、特許文献２）。
【０００３】
【特許文献１】特開平８−２５２５９８号
【特許文献２】特開２０００−２９２０９２号
【０００４】
【発明が解決しようとする課題】
活性水は、マイナスイオン化処理された水であり、洗浄力が強い上に、洗浄後の排水をそのまま流しても環境に悪影響を与えることがないなど利点が多い。
このため、本発明では、上記のような活性水を利用した洗浄装置を提供することにより、上記のような問題点を解決することを目的とする。
特に本発明では、予め改質装置（超電導イオン化触媒等）によりマイナスイオン化しておいた処理水を洗浄ポンプを介してノズルから噴射させ、洗浄物を洗浄するため、洗浄効率が高くなり、さらに脱油効果、防錆効果等が期待できる。
【０００５】
【課題を解決するための手段】
上記のような課題を解決するため、本発明が採用した技術解決手段は、
ノズルと、前記ノズルに洗浄水を供給できる洗浄ポンプと、前記ポンプの吸入側に接続した改質装置とを備え、フレッシュ水を前記改質装置でマイナスイオン化した後、洗浄ポンプを介してノズルより洗浄物に噴射し、被洗浄物を洗浄することを特徴とする洗浄装置である。
また、前記洗浄ポンプは高圧または超高圧洗浄水を供給できるポンプであることを特徴とする洗浄装置である。
また、前記洗浄後の排水をフィルターを介して排水することを特徴とする洗浄装置である。
また、ノズルと、前記ノズルに洗浄水を供給する洗浄ポンプと、前記洗浄ポンプの吸入側に接続したマイナスイオン化洗浄水を貯留させる循環水貯留タンクと、前記循環水貯留タンクからの循環水を吸引しマイナスイオン化する改質装置と、前記改質装置を吸引側に接続するとともに、吐出側を前記循環水貯留タンクに接続する循環ポンプとを備えており、洗浄後の水を改質装置を通して再度洗浄に使うために、前記循環水を前記改質装置でマイナスイオン化した後、循環ポンプを介して循環水貯留タンクに供給するとともに、前記循環水貯留タンクからマイナスイオン化した循環水を洗浄ポンプで吸引し、前記ノズルから洗浄物に噴射して被洗浄物を洗浄することを特徴とする洗浄装置である。
また、前記洗浄ポンプは高圧または超高圧洗浄水を供給できるポンプであることを特徴とする洗浄装置である。
また、前記循環水貯留タンクには循環水を濾過するフィルターと、スラッジ受けが配置されていることを特徴とする洗浄装置である。
また、前記循環水にはフレッシュ水を供給できるようにしたことを特徴とする洗浄装置である。
また、前記改質装置は、超電導イオン化触媒であることを特徴とする洗浄装置である。
また、前記超電導イオン化触媒は、バイオセラミックスであることを特徴とする洗浄装置である。
また、前記ノズルは洗浄室に配置されていることを特徴とする洗浄装置である。
【０００６】
【発明の実施の形態】
以下図面を参照して本発明の実施形態を説明すると、図１は本発明に係る洗浄装置の構成図である。
図１において、１は水道水等のフレッシュ水をマイナスイオン化するための改質装置（例えば超電導イオン化触媒）、２は洗浄ポンプ、３はノズル、４はフィルター、Ｖはバルブである。ノズル３には洗浄ポンプ２の吐出側が接続されており、さらに洗浄ポンプ２の吸引側には改質装置１が接続され、さらに必要に応じて改質装置はバルブ等を介して水道等のフレッシュ水源に接続されている。前記改質装置は、超電導イオン化触媒が望ましく、さらに超電導イオン化触媒としてバイオセラミックスを使用したものが望ましいが、フレッシュ水をマイナスイオン化できるものであれが、超電導イオン化触媒に限定されるものではない。また、洗浄用のノズルは洗浄空間を形成する洗浄室内に適宜個数配置することができる。また洗浄ポンプは、洗浄力の関係から約１００Ｋｇ／ｃｍ２  Ｇ以上での高圧水を放出できるポンプが望ましく、さらに、約２００〜３００Ｋｇ／ｃｍ２  Ｇ程度の超高圧水をも出せるポンプとすることが望ましいが、約１００Ｋｇ／ｃｍ２  Ｇ以下での水圧を放出できるポンプでもよく、洗浄対象物によって洗浄ポンプを選択することが望ましい（特に洗浄ポンプは圧力が低いポンプであればポンプ動力を小さくでき、省エネルギとすることができる）。なお約１００Ｋｇ／ｃｍ２  Ｇ以下での水圧を放出できるポンプを使用する場合には、汚れの程度が普通のものであり、このような汚れの場合には改質された洗浄水でも充分な洗浄効果を発揮できる。
【０００７】
この洗浄装置では、水道等から給水されたフレッシュ水は、改質装置１でマイナスイオン化され、マイナスイオン化された洗浄水がポンプ２を介してノズル３から噴射され、洗浄室内に配置された洗浄物を洗浄する。洗浄後の水は、フィルター４を介してそのまま洗浄室外に排水することができる。洗浄水中に含まれる不純物はフィルターで除かれた後、排水されるため環境汚染を引き起こすことがない。
【０００８】
この洗浄装置では、切削油の付着したアルミ等の加工品、錆びた鉄、スケールの付着した部品等を綺麗に洗浄することができる。また、洗浄後の排水にはマイナスイオンが含まれるため、洗浄後の水内に含まれる汚染物をフィルターで除去した後、排水することで、マイナスイオン化水による排水路の洗浄効果も期待でき、環境汚染の問題もなくなる。さらに被洗浄品も、錆等が抑制される等の副次的効果も期待できる。
【０００９】
上記洗浄装置は、水道水等のフレッシュ水を超電導イオン化触媒を介して洗浄ポンプを使用して吸引する構成を採用しているが、第２実施形態では、予めマイナスイオン化しておいた洗浄水（循環水）を貯留しておき、その循環水を直接洗浄ポンプで吸引してノズルより吹き出し、大量のマイナスイオン化水を洗浄ポンプから噴射させ、一度の多量の洗浄物を処理できるようにしている。この場合にはノズルの数を増やす等して洗浄効果を高めることができる。
【００１０】
図２を参照して第２実施形態に係る洗浄装置を説明すると、図中、Ｒは洗浄室、２１は活性水（マイナスイオン化水）を貯留しておく循環水貯留タンク、２２はフレッシュ水または循環水貯留タンク内の循環水をマイナスイオン化するための改質装置（例えば超電導イオン化触媒等）、２３は洗浄ポンプ、２４はノズル、２５は循環ポンプ、２６は循環水貯留タンク内に配置されたフィルター、２７は同タンク内の底に配置されたスラッジ受け、２８は水道水等のフレッシュ水である。洗浄室Ｒには少なくとも１個以上のノズル２４が配置されており、ノズル２４には洗浄ポンプ２３の吐出側が接続されており、さらに洗浄ポンプ２３の吸引側はマイナスイオン化した循環水を貯留しておく循環水貯留タンク２１が接続されている。また、循環水貯留タンク２１には改質装置（超電導イオン化触媒等）２２が接続され、さらに改質装置２２は循環ポンプ２５の吸引側に接続されており，循環ポンプ２５の吐出口は循環水貯留タンク２１に接続されている。なお、循環水貯留タンク２１には循環水が不足した場合に、適宜水道水等のフレッシュ水２８を供給できる構成となっている。フレッシュ水の供給は、循環水貯留タンクに直接供給する場合と、改質装置に図示せぬバルブ等を介して直接フレッシュ水を供給する方法もある。また洗浄ポンプは、洗浄力の関係から約１００Ｋｇ／ｃｍ２  Ｇ以上での水圧を放出できるポンプであり、約２００〜３００Ｋｇ／ｃｍ２  Ｇ程度の水圧をも出せるポンプとすることが望ましいが、約１００Ｋｇ／ｃｍ２  Ｇ以下での水圧を放出できるポンプでもよく、このようなポンプを使用する場合は、汚れの程度が普通のものであり、改質された洗浄水でも充分な洗浄効果を発揮できる。
【００１１】
この洗浄装置では、予めマイナスイオン化しておいた洗浄水（循環水）を循環水貯留タンクに貯留しておき、その循環水を直接洗浄ポンプ２３で吸引してノズル２４から吹き出すシステムを採用したため、大量のマイナスイオン化水を洗浄ポンプ２３から噴射させることが可能となり、一度に多量の洗浄物を処理することができる。また洗浄後の水は、循環水貯留タンク内で油水が完全に分離された後、汚染物除去用のフィルターで汚染物を除去した後、清浄な循環水のみがマイナスイオン化され再利用されることになる。なお、循環水貯留タンクにはスラッジ受けを設けておき、定期的にスラッジを除去することができ、環境汚染の問題もなくなる。
【００１２】
以上、本発明に係る洗浄装置のついて説明したが、洗浄室は、必ずしも閉鎖された室内空間に限定することなく、洗浄に適した種々の場所を含んでいる。また洗浄するためのノズルは被洗浄物に応じてその数を増減することができる。また、改質装置はフレッシュ水をマイナスイオン化できる機能を持つものであれば超電導イオン化触媒以外のものを採用することも可能である。
さらに、本発明はその精神また主要な特徴から逸脱することなく、他の色々な形で実施することができる。そのため前述の実施例は単なる例示に過ぎず、限定的に解釈してはならない。更に特許請求の範囲の均等範囲に属する変形や変更は全て本発明の範囲内のものである。
【００１３】
【発明の効果】
以上詳細に述べた如く本発明によれば、  特に本発明では、予め改質装置（超電導イオン化触媒等）によりマイナスイオン化しておいた洗浄水（循環水）をノズルから噴射させ、洗浄物を洗浄するため、洗浄効率が高くなり、さらに脱油効果、防錆効果等が期待できる。また洗浄後の水は、汚染物をフィルターで除去した後、そのまま排水することで、マイナスイオン化水による排水路の洗浄効果も期待でき、環境汚染の問題もなくなる。油・水も完全に分離することができ環境汚染を防止できる。改質装置にはフィルターによって濾過された循環水、あるいはフレッシュ水のみが入る構成となっているため、改質装置内が目詰まり等することも防止できる。等の優れた効果を奏することができる。
【図面の簡単な説明】
【図１】本発明に係る洗浄装置の第１実施形態の構成図である。
【図２】本発明に係る洗浄装置の第２実施形態の構成図である。
【符号の説明】
１          フレッシュ水をマイナスイオン化するための改質装置（例えば超電導イオン化触媒）
２          洗浄ポンプ
３          ノズル
２１        活性水（マイナスイオン化水）を貯留しておく貯留タンク
２２        フレッシュ水をマイナスイオン化するための改質装置
２３        洗浄ポンプ
２４        ノズル
２５        循環ポンプ
Ｖ          バルブ
Ｒ          洗浄室
【図１】
2005000885.tif 000003
【図２】
2005000885.tif 000004
【手続補正書】
【提出日】平成15年6月24日(2003.6.24)
【手続補正１】
【補正対象書類名】図面
【補正対象項目名】全図
【補正方法】変更
【補正の内容】
【図１】
2005000885.tif 000005
【図２】
2005000885.tif 000006